(57)【要約】【課題】廃棄処分することが少なく、仕様の変更等が容易なトラップ用部材を提供する。【解決手段】Ｕ字状管部２を有する上流側部材３と、下流側部材４とを備え、下流側部材４は中間の直管部４Ａと、該直管部４Ａから延設する両側の湾曲管部４Ｂ，４Ｃと、各湾曲管部４Ｂ，４Ｃから互いに並行となるように同方向へ延設する短尺の直管部４Ｄ及び長尺の直管部４Ｅを有している。短尺の直管部４Ｅは上流側部材３に差し込み接合できる。また直管部４Ａの中間で切断して分割したとき、長尺の直管部４Ｅと連なる分割直管部（前記直管部４Ａの一部）が、上流側部材３に差し込み接合できる。従って、上流側部材３に短尺の直管部４Ｄを差し込み接続することで床排水方式のＳ型トラップを構成することができ、上流側部材３に直管部４Ａの中間で切除した残りの分割直管部を差し込み接続することで、壁排水方式のＰ型トラップを構成することができる。【選択図】  図１
2006152742.tif 000002
【特許請求の範囲】
【請求項１】
Ｕ字状管部を有する上流側部材と、下流側部材とから成り、該下流側部材は中間の直管部と、該中間の直管部から延設する両側の湾曲管部と、各湾曲管部から互いに並行となるように同方向へ延設する短尺の直管部及び長尺の直管部とを備えたトラップ用部材であって、短尺の直管部は上流側部材の下流端部に差し込み接合でき、前記中間の直管部の中間で切断して下流側部材を分割したとき、長尺の直管部と連なる分割された中間の直管部が、上流側部材の下流端部に差し込み接合できることを特徴とするトラップ用部材。
【請求項２】
Ｕ字状管部を有する上流側部材と、９０度に屈曲したエルボ部材と、湾曲管部から直管部を延設したＬ字状管部材とを備えたトラップ用部材であって、上流側部材の下流端部にエルボ部材の一端を接合し、該エルボ部材の他端にＬ字状管部材の湾曲管部を接合したときにはＳ型のトラップが形成され、上流側部材の下流端部にＬ字状部材の湾曲管部を接合したときにはＰ型のトラップが形成されることを特徴とするトラップ用部材。
【請求項３】
上流側部材とエルボ部材との接合は、締付ナットを外嵌すると共に端面に鍔フランジを設けた一方に、雄螺子を設けた他方を当接させ、締付ナットを螺合させて行われ、エルボ部材とＬ字状管部材の接合は、締付ナットを外嵌すると共に端面に鍔フランジを設けた一方に、雄螺子を設けた他方を当接させ、締付ナットを螺合させて行われ、上流側部材とＬ字状管部材との接合は、締付ナットを外嵌すると共に端面に鍔フランジを設けた一方に、雄螺子を設けた他方を当接させ、締付ナットを螺合させて行われるようになっている請求項２に記載のトラップ用部材。
【請求項４】
上流側部材とエルボ部材の接合は、一方に他方を差し込んで行われ、エルボ部材とＬ字状管部材の湾曲管部の接合は、一方に他方を差し込んで行われ、上流側部材とＬ字状管部材の湾曲管部の接合は、一方に他方を差し込んで行われるようになっている請求項２に記載のトラップ用部材。
【発明の詳細な説明】
【技術分野】
【０００１】
本発明は、洗面器、手洗器、キッチン流し台等の排水口に接続されるトラップ用部材に関するものである。
【背景技術】
【０００２】
通常、洗面器や手洗器、キッチン流し台等の排水口に接続されるトラップには、Ｐ型とＳ型とがある。Ｐ型はトラップより下流側が横方向へ伸びて壁面を貫通する等して下水等へ連通接続されており、Ｓ型はトラップより下流側が床下の排水管を介して下水等へ連通接続されている。このようなトラップの先行技術として、特許文献１に記載された発明がある。この特許文献１に記載された発明のトラップは、Ｕ字状封水貯留部に、９０度に折曲形成された曲管を連通接続することでＰ型に接続し、１８０度に折曲形成された曲管を連通接続することでＳ型に接続している。
【特許文献１】特公昭６０−２４２５９号公報
【発明の開示】
【発明が解決しようとする課題】
【０００３】
このように、特許文献１に記載された発明のトラップは、９０度に折曲形成された曲管と、１８０度に折曲形成された曲管との二つを準備してそれぞれを使い分けることで、Ｐ型のトラップ又はＳ型のトラップを形成している。そのため、Ｕ字状管と、二種類の曲管とを製造準備しておく必要があり、管理上も煩わしいものであった。また現場における施工作業時の迅速性を考慮して前記三種類の管をセットにして出荷していた。
【０００４】
更に、９０度に折れ曲がった曲管と、１８０度に折れ曲がった曲管とは、各種現場の仕様に対応させることが要請されており、長い寸法の直管部を有している。そのため、Ｓ型トラップを形成している床排水及びＰ型トラップを形成している壁排水の何れか一方の仕様に対応させたときには、９０度に折曲形成した曲管又は１８０度に折曲形成した曲管のいずれか一方を選択しなければならない。そして、残りの曲管については、これを廃棄処分にしていた。しかし、長い寸法の直管部を有する曲管を廃棄処分することは、それだけで資源の無駄であった。
【０００５】
本発明は従来の前記課題に鑑みてこれを改良除去したものであって、廃棄処分することが少なく、仕様の変更等が容易なトラップ用部材を提供せんとするものである。
【課題を解決するための手段】
【０００６】
而して、前記課題を解決するために本発明が採用した請求項１の手段は、Ｕ字状管部を有する上流側部材と、下流側部材とから成り、該下流側部材は中間の直管部と、該中間の直管部から延設する両側の湾曲管部と、各湾曲管部から互いに並行となるように同方向へ延設する短尺の直管部及び長尺の直管部とを備えたトラップ用部材であって、短尺の直管部は上流側部材の下流端部に差し込み接合でき、前記中間の直管部の中間で切断して下流側部材を分割したとき、長尺の直管部と連なる分割された中間の直管部が、上流側部材の下流端部に差し込み接合できることを特徴とするトラップ用部材である。
【０００７】
本発明が採用した請求項２の手段は、Ｕ字状管部を有する上流側部材と、９０度に屈曲したエルボ部材と、湾曲管部から直管部を延設したＬ字状管部材とを備えたトラップ用部材であって、上流側部材の下流端部にエルボ部材の一端を接合し、該エルボ部材の他端にＬ字状管部材の湾曲管部を接合したときにはＳ型のトラップが形成され、上流側部材の下流端部にＬ字状部材の湾曲管部を接合したときにはＰ型のトラップが形成されることを特徴とするトラップ用部材である。
【０００８】
本発明が採用した請求項３の手段は、上流側部材とエルボ部材との接合は、締付ナットを外嵌すると共に端面に鍔フランジを設けた一方に、雄螺子を設けた他方を当接させ、締付ナットを螺合させて行われ、エルボ部材とＬ字状管部材の接合は、締付ナットを外嵌すると共に端面に鍔フランジを設けた一方に、雄螺子を設けた他方を当接させ、締付ナットを螺合させて行われ、上流側部材とＬ字状管部材との接合は、締付ナットを外嵌すると共に端面に鍔フランジを設けた一方に、雄螺子を設けた他方を当接させ、締付ナットを螺合させて行われるようになっている請求項２に記載のトラップ用部材である。
【０００９】
本発明が採用した請求項４の手段は、上流側部材とエルボ部材の接合は、一方に他方を差し込んで行われ、エルボ部材とＬ字状管部材の湾曲管部の接合は、一方に他方を差し込んで行われ、上流側部材とＬ字状管部材の湾曲管部の接合は、一方に他方を差し込んで行われるようになっている請求項２に記載のトラップ用部材である。
【発明の効果】
【００１０】
請求項１の発明にあっては、上流側部材に短尺の直管部を差し込み接続することで床排水方式のＳ型トラップとなり、上流側部材に直管部の中間で切除した残りの分割直管部を差し込み接続することで、壁排水方式のＰ型トラップとなる。そのため、切除する部分の寸法が極めて短く、資源の有効利用を図ることが可能である。
【００１１】
請求項２ないし４の発明にあっては、エルボを使用した場合には床排水方式のＳ型トラップを形成することができ、エルボを使用しない場合には壁排水方式のＰ型トラップを形成するようにしている。従って、廃棄処分にする部分は、エルボだけであり、極めて短い寸法となる。
【発明を実施するための最良の形態】
【００１２】
以下に、本発明の構成を図面に示す発明の実施の形態に基づいて説明すると次の通りである。図１及び図２は本発明の第１の実施の形態に係るトラップ用部材１を示すものであり、図１はトラップ用部材１を構成するＵ字状管部２を有する上流側部材３と、下流側部材４及びユニオンナット５の分解半縦断面図である。図２の図（Ａ）はトラップ用部材１を床排水方式のＳ型にしたときの半縦断面図、図（Ｂ）はトラップ用部材１を壁排水方式のＰ型にしたときの半縦断面図である。
【００１３】
上流側部材３は、全体がＵ字状に形成されており、Ｕ字状管部２を有している。上流側部材３の両端側には、洗面器等の排水口への接続口６と、下流側部材４との接続口７とが形成されている。これらの接続口６及び７は接続される管端が挿入できるように膨径大部とされており、その外周面には雄螺子８が刻設されており、ユニオンナット５が螺合締結されるようになっている。ユニオンナット５の内周面側には、接続する管を縮径させるためのインナー部材９がフリーな状態で内嵌装着されている。各インナー部材９と、上流側部材３の管端面との間にはそれぞれ対向するテーパー接合面１０が形成されており、ユニオンナット５を締結することによりインナー部材９を上流側部材３の管端面へ移動させたときに、その先端側が当該テーパー面に沿って内径方向へ縮径し、接続する管に強く圧接するようになされている。
【００１４】
これに対して下流側部材４は、中間の直管部４Ａと、該中間の直管部４Ａから延設する両側の湾曲管部４Ｂ及び４Ｃと、各湾曲管部４Ｂ及び４Ｃから互いに並行となるように同方向へ延設する短尺の直管部４Ｄ及び長尺の直管部４Ｅとを有している。そして、中間の直管部４Ａの真ん中の位置には切断用の凹部（切り込み溝）１１が環状に形成されている。
【００１５】
次に、この第１の実施の形態におけるトラップ用部材１の使用態様を説明する。先ず、床排水方式のＳ型トラップとする場合を説明する。この場合は、上流側部材３と下流側部材４とをそのまま直接接続すればよい。接続は、下流側部材４の短尺の直管部４Ｄをユニオンナット５へ挿通し、上流側部材３の接続口７へ内嵌する。そして、ユニオンナット５を上流側部材３の雄螺子８へ螺合締結することにより、インナー部材９を内径方向へ縮径させ、下流側部材４の短尺の直管部４Ｄの外周面へ圧着させて漏水を防止すればよい。
【００１６】
また壁排水方式のＰ型トラップとする場合は、下流側部材４の中間の直管部４Ａの真ん中外周面に設けた切り込み溝１１の位置で切断する。そして、当該切断した湾曲部４Ｂ及び短尺の直管部４Ｄ側は廃棄し、残りの部分を使用する。すなわち、切断後の中間の直管部４Ａはその半分が残っており、これをユニオンナット５へ挿通し、上流側部材３の接続口７へ内嵌し、ユニオンナット５を上流側部材３の雄螺子８へ螺合締結すればよい。これにより、インナー部材９が内径方向へ縮径し、下流側部材４の切断後の直管部４Ａの外周面へ圧着して漏水の防止が図れる。
【００１７】
このように、第１の実施の形態におけるトラップ用部材１は、上流側部材３と下流側部材４とを直接接続することにより、床排水方式のＳ型トラップを構成し、下流側部材４の中間の直管部４Ａに設けた切り込み溝１１の位置で切断してその先端側の部分を廃棄処分し、残りの部分を上流側部材３の下流端部へ接続することにより壁排水方式のＰ型トラップを構成するようにしている。そして、その場合の廃棄処分する部分の寸法を短くするすることで省資源化を実現している。
【００１８】
図３及び図４は、本発明の第２の実施の形態に係るトラップ用部材１２を示すものである。図３は、上流側部材１３と、下流側部材１４とを分解して示す半縦断面図である。図４の図（Ａ）は床排水方式のＳ型トラップとした場合の半縦断面図であり、図（Ｂ）は壁排水方式のＰ型トラップとした場合の半縦断面図である。上流側部材１３の接続口７の外周面には雄螺子８が設けられており、その上端面１５は平坦面とされている。洗面器等の排水口への接続口６の構成については、前記第１の実施の形態の場合と同じである。
【００１９】
この実施の形態のトラップ用部材１２は、下流側部材１４がエルボ部材１６と、Ｌ字状管部材１７とで構成されている。エルボ部材１６の上流側部材１３との接続口側には、外嵌装着されたユニオンナット５の抜止用のフランジ１８が形成されている。またエルボ部材１６のＬ字状管部材１７との接続口の外周面には、雄螺子８が刻設されており、端面１９は平坦面とされている。Ｌ字状管部材１７のエルボ部材１６との接続口側には、外嵌装着されたユニオンナット５の抜止用のフランジ２０が形成されている。
【００２０】
次に、このように構成された第２の実施の形態に係るトラップ用部材１２の使用態様について説明する。図４の図（Ａ）に示すように、床排水方式のＳ型トラップを構成する場合は、先ず、エルボ部材１６のフランジ１８側の端面を、上流側部材１３の接続口７側の上端面１５にゴムパッキン２１を介在させて当接させる。次に、ユニオンナット５を上流側部材１３の雄螺子８へ螺合締結する。続いて、Ｌ字状管部材１７のフランジ２０側の端面をエルボ部材１６の端面１９へゴムパッキン２１を介在させて当接させ、ユニオンナット５をエルボ部材１６の雄螺子８へ螺合締結すればよい。
【００２１】
なお、上流側部材１３とエルボ部材１６との接合は、逆の関係であってもよい。すなわち、上流側部材１３の下流端部にユニオンナット５を外嵌装着すると共にフランジ１８を設け、エルボ部材１６の外周面側に雄螺子８を刻設し、上流側部材１３とエルボ部材１６との端面間にパッキン２１を介在させて、上流側部材１３に外嵌したユニオンナット５をエルボ部材１６の雄螺子８へ螺合締結するようにしてもよい。
【００２２】
またエルボ部材１６とＬ字状管部材１７の接合も逆の関係であってもよい。すなわち、エルボ部材１６の下流端部にユニオンナット５を外嵌装着すると共に、その端面に鍔フランジ２０を設け、Ｌ字状管部材１７の外周面側に雄螺子８を刻設し、エルボ部材１６とＬ字状管部材１７との端面間にパッキン２１を介在させて、エルボ部材１６に外嵌したユニオンナット５をＬ字状管部材１７の雄螺子８へ螺合締結するようにしてもよい。
【００２３】
壁排水方式のＰ型トラップを構成する場合は、図４の図（Ｂ）に示すように、Ｌ字状管部材１７のフランジ２０側の端面を、パッキン２１を介して直接に上流側部材１３の上端面１５へ接合させ、ユニオンナット５を上流側部材１３の雄螺子８へ螺合締結すればよい。この場合、エルボ部材１６は不要であり、他の床排水方式のＳ型トラップに利用するか、又は別の目的に使用されることになる。
【００２４】
なお、このＰ型トラップを構成する場合において、上流側部材１３とＬ字状管部材１７との接合も、逆の関係であってもよい。すなわち、上流側部材１３にユニオンナット５を外嵌装着すると共に、その端面に鍔フランジ２０を設け、Ｌ字状管部材１７の外周面側に雄螺子８を刻設し、上流側部材１３とＬ字状管部材１７との端面間にパッキン２１を介在させて、上流側部材１３に外嵌したユニオンナット５をＬ字状管部材１７の雄螺子８へ螺合締結するようにしてもよい。
【００２５】
図５及び図６は本発明の第３の実施の形態に係るトラップ用部材２２を示すものであり、図５は上流側部材２３と下流側部材２４とを分解して示す半縦断面図である。図６の図（Ａ）は床排水方式のＳ型トラップを構成した場合の半縦断面図、図（Ｂ）は壁排水方式のＰ型トラップを構成した場合の半縦断面図である。上流側部材２３の洗面器等の排水口側との接続口６の構成は、前記第１及び第２の実施の形態の場合と同じであり、下流側部材２４との接続口７側はＵ字状管部２と同一の管外径を有している。
【００２６】
下流側部材２４は、エルボ部材２５とＬ字状管部材２６とで構成されている。エルボ部材２５の上流側部材２３との接続側端部には、上流側部材２３の管端部を内嵌装着できるように膨径大部が形成されており、その外周面側には雄螺子８が刻設されている。そして、その管端面には、ユニオンナット５のインナー部材９との端面との間でテーパー接合面１０を形成するように、環状の傾斜面とされている。エルボ部材２５の他端側は、エルボ部材２５の本体部分と同一の管外径を有している。またＬ字状管部材２６のエルボ部材２５との接続口側は、エルボ部材２５の管端が挿入できるように膨径大部とされており、その外周面側には雄螺子８が刻設されている。このＬ字状管部材２６の管端面の場合も、ユニオンナット５のインナー部材９との端面との間でテーパー接合面１０を形成するように、環状の傾斜面とされている。
【００２７】
次に、この第３の実施の形態に係るトラップ用部材２２の使用態様について説明する。図６の図（Ａ）に示すように、床排水方式のＳ型トラップを構成する場合は、上流側部材２３のストレートな直管部にユニオンナット５を外嵌装着し、エルボ部材２５の膨径大部の管端を上流側部材２３の下流端部へ外嵌装着する。そして、ユニオンナット５をエルボ部材２５の雄螺子８へ螺合締結することにより、インナー部材９がテーパー接合面１０に沿って縮径し、上流側部材２３の管端外周面に強く圧接する。そのため、水密性が確保される。然る後は、エルボ部材２５のストレートな直管部にユニオンナット５を外嵌装着し、Ｌ字状管部材２６の膨径大部をエルボ部材２５のストレートな直管部に外嵌装着する。そして、ユニオンナット５をエルボ部材２５の雄螺子８へ螺合締結する。これにより、インナー部材９がテーパー接合面１０に沿って縮径し、上流側部材２３の管端外周面に強く圧接するようになり、水密性が確保される。
【００２８】
壁排水方式のＰ型トラップを構成する場合は、図６の図（Ｂ）に示すように、エルボ部材２５を省略し、上流側部材２３のストレートな直管部にユニオンナット５を外嵌装着し、Ｌ字状管部材２６の膨径大部の管端を上流側部材２３のストレートな直管部へ外嵌装着する。そして、ユニオンナット５をエルボ部材２５の雄螺子８へ螺合締結する。これにより、インナー部材９がテーパー接合面１０に沿って縮径し、上流側部材２３の管端外周面に強く圧接するようになり、水密性が確保される。このＰ型トラップを構成する場合は、エルボ部材２５は不要であるので、他の床排水方式のＳ型トラップを構成する場合に利用するか、又は別の目的に利用される。
【００２９】
図７及び図８は本発明の第４の実施の形態に係る排水トラップ用部材２７を示すものであり、図７は上流側部材３と下流側部材２８とを分解して示す半縦断面図である。図８の図（Ａ）は、床排水方式のＳ型排水トラップを示す半縦断面図、図（Ｂ）は壁排水方式のＰ型排水トラップを示す半縦断面図である。同図に示す如く、上流側部材３は図１及び図２に示す第１の実施の形態のものと同じものである。下流側部材２８は、エルボ部材２９とＬ字状管部材３０とから成り、エルボ部材２９は上流側部材３との接合管端がストレートな同一の外径寸法を有し、Ｌ字状管部材３０との接合管端に膨大径部が設けられてその外周面側に雄螺子８が刻設されている。またＬ字状管部材３０は、全体が同一の外径寸法を有している。
【００３０】
次に、この排水トラップ用部材２７の使用態様を説明する。床排水方式のＳ型トラップを構成する場合は、図８の図（Ａ）に示すように、エルボ部材２９のストレートな直管部をユニオンナット５へ挿通し、更に上流側部材３の膨径大部へ内嵌装着する。そして、ユニオンナット５を上流側部材３の雄螺子８へ螺合締結する。これにより、インナー部材９がテーパー接合面１０に沿って縮径し、エルボ部材２９の直管部の外周面に強く圧接するようになり、水密性が確保される。然る後は、Ｌ字状管部材３０のストレートな直管部をユニオンナット５へ挿通し、更にエルボ部材２９の膨径大部へ内嵌装着する。そして、ユニオンナット５をエルボ部材２９の雄螺子８へ螺合締結する。これにより、インナー部材９がテーパー接合面１０に沿って縮径し、Ｌ字状管部材３０のストレートな直管部の外周面に強く圧接するようになり、水密性が確保される。
【００３１】
壁排水方式のＰ型トラップを構成する場合は、図８の図（Ｂ）に示すように、Ｌ字状管部材３０のストレートな直管部をユニオンナット５へ挿通し、更に上流側部材３の膨径大部へ内嵌装着する。そして、ユニオンナット５を上流側部材３の雄螺子８へ螺合締結する。これにより、インナー部材９がテーパー接合面１０に沿って縮径し、Ｌ字状管部材３０のストレートな直管部の外周面に強く圧接するようになり、水密性が確保される。この第４の実施の形態において、Ｐ型トラップを構成する場合も、エルボ部材２９は不要であり、他の床排水方式のＳ型トラップを構成する場合に利用するか、又は別の目的に利用される。
【図面の簡単な説明】
【００３２】
【図１】本発明の第１の実施の形態のトラップ用部材に係るものであり、上流側部材と下流側部材とを分解して示す半縦断面図である。
【図２】本発明の第１の実施の形態のトラップ用部材に係るものであり、図（Ａ）は床排水方式のＳ型にしたときの半縦断面図、図（Ｂ）は壁排水方式のＰ型にしたときの半縦断面図である。
【図３】本発明の第２の実施の形態のトラップ用部材に係るものであり、上流側部材と下流側部材とを分解して示す半縦断面図である。
【図４】本発明の第２の実施の形態のトラップ用部材に係るものであり、図（Ａ）は床排水方式のＳ型トラップとした場合の半縦断面図、図（Ｂ）は壁排水方式のＰ型トラップとした場合の半縦断面図である。
【図５】本発明の第３の実施の形態のトラップ用部材に係るものであり、上流側部材と下流側部材とを分解して示す半縦断面図である。
【図６】本発明の第３の実施の形態のトラップ用部材に係るものであり、図（Ａ）は床排水方式のＳ型トラップとした場合の半縦断面図、図（Ｂ）は壁排水方式のＰ型トラップとした場合の半縦断面図である。
【図７】本発明の第４の実施の形態のトラップ用部材に係るものであり、上流側部材と下流側部材とを分解して示す半縦断面図である。
【図８】本発明の第４の実施の形態のトラップ用部材に係るものであり、図（Ａ）は床排水方式のＳ型トラップとした場合の半縦断面図、図（Ｂ）は壁排水方式のＰ型トラップとした場合の半縦断面図である。
【符号の説明】
【００３３】
１…トラップ用部材、２…Ｕ字状管部、３…上流側部材、４…下流側部材、４Ａ…中間  の直管部、４Ｂ，４Ｃ…湾曲部、４Ｄ…短尺の直管部、４Ｅ…長尺の直管部、５…ユニ  オンナット、６…洗面器等の排水口との接続口、７…下流側部材との接続口、８…雄螺  子、９…インナー部材、１０…テーパー接合面、１１…凹部（切り込み溝）、１６…エ  ルボ部材、１７…Ｌ字状管部材
【図１】
2006152742.tif 000003
【図２】
2006152742.tif 000004
【図３】
2006152742.tif 000005
【図４】
2006152742.tif 000006
【図５】
2006152742.tif 000007
【図６】
2006152742.tif 000008
【図７】
2006152742.tif 000009
【図８】
2006152742.tif 000010